(57)【要約】【課題】携帯端末の内蔵スピーカから発せられる再生音を大きく聞こえるようにする音拡大機能を備えた携帯端末保持具（ホルダ）として使用することができる携帯端末用梱包トレイを提供する。【解決手段】携帯端末用梱包トレイは、一の携帯端末収容凹部１３を有し、携帯端末収容凹部１３に一の携帯端末１が収容される。携帯端末収容凹部１３には、携帯端末１を収容した際に携帯端末１によって一部が閉塞される溝２０を形成し、携帯端末１によって溝２０の一部が閉塞されることで携帯端末１と協働してホーン形状の音響管３０を構成する。【選択図】図２
2015012371.tif 000002
【特許請求の範囲】
【請求項１】
一の携帯端末収容凹部を有し、前記携帯端末収容凹部に一の携帯端末が収容される携帯端末用梱包トレイにおいて、
前記携帯端末収容凹部には、前記携帯端末を収容した際に前記携帯端末によって一部が閉塞される溝を形成し、前記携帯端末によって前記溝の一部が閉塞されることで前記携帯端末と協働して音響管を構成する携帯端末用梱包トレイであって、
前記溝は、前記音響管の構成時に前記携帯端末の音孔に対向して配置され、前記携帯端末の内蔵スピーカから発せられる再生音を入力する音入力部と、前記音響管の構成時に前記携帯端末の正面側となる前記携帯端末用梱包トレイの正面側の空間に開口する開口を含み、前記音入力部から入力された音を前記開口から前記携帯端末用梱包トレイの正面側の空間へ放射する音出力部と、前記音入力部側から前記音出力部側に向かうに従って溝断面積が拡大するホーン形状部を含み、前記音入力部と前記音出力部とを連通させる連通部とを有していることを特徴とする携帯端末用梱包トレイ。
【請求項２】
前記連通部が、前記携帯端末収容凹部の内奥面に形成されていることを特徴とする請求項１に記載の携帯端末用梱包トレイ。
【請求項３】
前記携帯端末収容凹部に前記携帯端末を収容した際に前記携帯端末用梱包トレイと前記携帯端末との間を密閉するためのパッキンを、前記携帯端末収容凹部における少なくとも前記音入力部の開口の周囲に備えていることを特徴とする請求項１又は２に記載の携帯端末用梱包トレイ。
【請求項４】
前記溝の表面又は裏面に補強部材が貼着されていることを特徴とする請求項１ないし３のいずれかに記載の携帯端末用梱包トレイ。
【請求項５】
前記携帯端末用梱包トレイを水平な載置面に自立させるための脚部材を備え、前記脚部材は、前記携帯端末梱包トレイと同梱される他の梱包材の一部で形成され、前記携帯端末梱包トレイに取り付けられることを特徴とする請求項１ないし４のいずれかに記載の携帯端末用梱包トレイ。
【発明の詳細な説明】
【技術分野】
【０００１】
本発明は、携帯端末を流通するのに用いられる梱包箱内で、携帯端末本体を保持するための携帯端末用梱包材に関し、特に、一の携帯端末収容凹部を有し、この携帯端末収容凹部に、一の携帯端末本体を収容する携帯端末用梱包トレイに関するものである。
【背景技術】
【０００２】
この種の携帯端末用梱包トレイの従来例として、例えば特許文献１に記載の携帯電話機の個装セットにおける上側トレイをあげることができる。つまり、この上側トレイは、一の収容凹部（携帯端末収容凹部）を有し、この収容凹部に、一の携帯電話機本体（携帯端末本体）を収容し、同梱品を収容した他のトレイ（他の梱包材）の上に積み重ねられた状態で、外装箱（梱包箱）に収容される。そして、この携帯電話機（携帯端末）は、このような包装形態（梱包形態）で、輸送、保管されて流通する。
【０００３】
ところで、近年、携帯端末といえば、スマートフォン、タブレット端末、ポータブルオーディプレーヤがその代表であるが、これらは、いずれも、タッチ操作部を兼ねる表示部を正面に大きく設けることから、内蔵スピーカの取り付けスペースが減少し、サイズが益々制限され、取り付け位置も筐体内部の端へと追いやられている。したがって、内蔵スピーカから発せられる再生音を外部に放射する音孔も背面又は側面に設けられることが多い。
【０００４】
そこで、携帯端末用梱包トレイに戻って、前記上側トレイに見られるように、携帯端末本体は、携帯端末用梱包トレイの正面側（携帯端末収容凹部が中央に形成される正面側）（携帯端末用梱包トレイとしての使用状態では上面側）に正面を向けた状態で携帯端末収容凹部に収容される。
【先行技術文献】
【特許文献】
【０００５】
【特許文献１】特開２０１２−２１８７４９号公報
【発明の概要】
【発明が解決しようとする課題】
【０００６】
しかし、従来の携帯端末用梱包トレイは、単に製品の流通時における輸送、保管用途で使用されるのみで、ユーザ側での開封（荷解）後は不要となり、通常は、ゴミとして廃棄されるか、そのまま保管されるだけの物となっている。
【０００７】
本発明は、ユーザ側での開封後別用途で携帯端末に使用することができる携帯端末用梱包トレイを提供することを目的としている。特に、携帯端末の内蔵スピーカはサイズが小さく大きな音を出しにくいため、携帯端末の内蔵スピーカから発せられる再生音が小さく聞きにくいこともあり、携帯端末の内蔵スピーカから発せられる再生音を大きく聞こえるようにする音拡大機能を備えた携帯端末保持具（ホルダ）として使用することができる携帯端末用梱包トレイを提供することを目的としている。
【課題を解決するための手段】
【０００８】
請求項１に係る発明は、一の携帯端末収容凹部を有し、前記携帯端末収容凹部に一の携帯端末が収容される携帯端末用梱包トレイにおいて、前記携帯端末収容凹部には、前記携帯端末を収容した際に前記携帯端末によって一部が閉塞される溝を形成し、前記携帯端末によって前記溝の一部が閉塞されることで前記携帯端末と協働して音響管を構成する携帯端末用梱包トレイであって、前記溝は、前記音響管の構成時に前記携帯端末の音孔に対向して配置され、前記携帯端末の内蔵スピーカから発せられる再生音を入力する音入力部と、前記音響管の構成時に前記携帯端末の正面側となる前記携帯端末用梱包トレイの正面側の空間に開口する開口を含み、前記音入力部から入力された音を前記開口から前記携帯端末用梱包トレイの正面側の空間へ放射する音出力部と、前記音入力部側から前記音出力部側に向かうに従って溝断面積が拡大するホーン形状部を含み、前記音入力部と前記音出力部とを連通させる連通部とを有していることを特徴とするものである。
【０００９】
請求項１に係る発明によれば、携帯端末を保持し、その際に構成される音響管は、ホーンとして機能し、保持した携帯端末の内蔵スピーカから発せられる再生音を効率よく、携帯端末の正面側となる携帯端末用梱包トレイの正面側の空間に放射することができることから、携帯端末単体で音を再生した場合よりも、音が大きく聞こえるようになる。したがって、従来では単に製品の流通時における輸送、保管用途で使用されるのみで、ユーザ側での開封後は不要となり、廃棄されるか、そのまま保管される物であった携帯端末用梱包トレイが、携帯端末収容凹部に特定の溝を形成するだけで、ユーザ側での開封後、携帯端末の内蔵スピーカから発せられる再生音を大きく聞こえるようにする音拡大機能を備えた携帯端末保持具として使用することができる。言い換えると、携帯端末の内蔵スピーカから発せられる再生音を大きく聞こえるようにする音拡大機能を備えた携帯端末保持具を、携帯端末用梱包トレイを利用して容易に実現することができる。
【００１０】
請求項２に係る発明は、請求項１に記載の携帯端末用梱包トレイにおいて、前記連通部が、前記携帯端末収容凹部の内奥面に形成されていることを特徴とするものである。
【００１１】
請求項２に係る発明によれば、形状・大きさが携帯端末の形状・大きさに対応したものに限定される携帯端末収容凹部において、最大の面積を有する内奥面を利用し、設計の自由度を確保しつつホーン形状部を形成することができる。したがって、性能的に優れたホーン形状を有する音響管を容易に得られ、音拡大機能が向上する。
【００１２】
請求項３に係る発明は、請求項１又は２に記載の携帯端末用梱包トレイにおいて、前記携帯端末収容凹部に前記携帯端末を収容した際に前記携帯端末用梱包トレイと前記携帯端末との間を密閉するためのパッキンを、前記携帯端末収容凹部における少なくとも前記音入力部の開口の周囲に備えていることを特徴とするものである。
【００１３】
請求項３に係る発明によれば、携帯端末が携帯端末用梱包トレイに保持される際に、パッキンを用いて少なくとも音入力部の開口の周囲で携帯端末と携帯端末用梱包トレイとの間を密閉することができる。したがって、特に、音響管の入口での音漏れを有効に抑制することができる。
【００１４】
請求項４に係る発明は、請求項１ないし３のいずれかに記載の携帯端末用梱包トレイにおいて、前記溝の表面又は裏面に補強部材が貼着されていることを特徴とするものである。
【００１５】
請求項４に係る発明によれば、携帯端末の一部とでホーン形状を有する音響管を構成する携帯端末用梱包トレイの溝に補強部材を用いて十分な剛性を付与することができる。したがって、携帯端末梱包トレイを全体的に強度の高いものにすることなく、音響管の音響的に不要な鳴き（振動）を効果的に抑制することができる。
【００１６】
請求項５に係る発明は、請求項１ないし４のいずれかに記載の携帯端末用梱包トレイにおいて、前記携帯端末用梱包トレイを水平な載置面に自立させるための脚部材を備え、前記脚部材は、前記携帯端末梱包トレイと同梱される他の梱包材の一部で形成され、前記携帯端末梱包トレイに取り付けられることを特徴とするものである。
【００１７】
請求項５に係る発明によれば、携帯端末用梱包トレイを卓上などの水平な載置面に脚部材を介して自立させることができることから、携帯端末を立てた状態で保持するスタンド機能が得られ、携帯端末の表示部が見やすく、音が大きく聞こえるようになる。また、コストを殆どかけることなく携帯端末用梱包トレイにスタンド機能を付加することができると共に、携帯端末用梱包トレイに脚部材を、あらかじめ、一体に形成した場合になどに生じるおそれがある携帯端末の梱包作業能率の低下、携帯端末用梱包トレイ本来の梱包材としての機能低下などを防止することができる。
【発明の効果】
【００１８】
本発明によれば、ユーザ側での開封後、携帯端末の内蔵スピーカから発せられる再生音を大きく聞こえるようにする音拡大機能を備えた携帯端末保持具として使用することができる携帯端末用梱包トレイを提供することができる。言い換えると、携帯端末の内蔵スピーカから発せられる再生音を大きく聞こえるようにする音拡大機能を備えた携帯端末保持具を、携帯端末用梱包トレイを利用して容易に実現することができる。
【図面の簡単な説明】
【００１９】
【図１】本発明の実施形態に係る携帯端末用梱包トレイに収容される携帯端末を示す図であって、図１（Ａ）は、正面図、図１（Ｂ）は、背面図である。
【図２】本発明の実施形態に係る携帯端末用梱包トレイを示す斜視図である。
【図３】図２に示す携帯端末用梱包トレイの正面図である。
【図４】図３のＡ−Ａ断面図である。
【図５】図３のＢ−Ｂ断面図である。
【図６】本発明の実施形態に係る携帯端末用梱包トレイの携帯端末収容状態を示す斜視図である。
【図７】図６に示す携帯端末用梱包トレイの正面図である。
【図８】図７のＡ−Ａ断面図である。
【図９】図７のＢ−Ｂ断面図である。
【図１０】本発明の別の実施形態に係る携帯端末用梱包トレイを示す正面図である。
【図１１】本発明のさらに別の実施形態に係る携帯端末用梱包トレイを示す斜視図である。
【図１２】本発明のまたさらに別の実施形態に係る携帯端末用梱包トレイを示す斜視図である。
【図１３】図１２に示す携帯端末用梱包トレイの背面斜視図である。
【図１４】図１２に示す携帯端末用梱包トレイの側面図である。
【発明を実施するための形態】
【００２０】
以下、図面を参照しつつ、本発明に係る携帯端末用梱包トレイの実施形態を説明する。
【００２１】
図１（Ａ）は、本発明の実施形態に係る携帯端末用梱包トレイに収容される携帯端末を示す図であって、図１（Ａ）は、正面図、図１（Ｂ）は、背面図である。
【００２２】
本実施形態において、携帯端末１は、スマートフォンである。スマートフォンである携帯端末１の正面には、図１（Ａ）に示すように、タッチ操作部を兼ねる表示部２が大きく設けられている。また、携帯端末１の内蔵スピーカ４から発せられる再生音を外部に放射するための音孔３は、図１（Ｂ）に示すように、携帯端末１の背面に設けられている。詳しくは、背面の一つの角部に設けられている。
【００２３】
図２は、本発明の実施形態に係る携帯端末用梱包トレイ１０を示す斜視図、図３は、図２に示す携帯端末用梱包トレイ１０の正面図、図４は、図３のＡ−Ａ断面図、図５は、図３のＢ−Ｂ断面図である。また、図６は、本発明の実施例１に係る携帯端末用梱包トレイ１０の携帯端末１収容状態を示す斜視図、図７は、図６に示す携帯端末用梱包トレイ１０の正面図、図８は、図７のＡ−Ａ断面図、図９は、図７のＢ−Ｂ断面図である。
【００２４】
本実施形態に係る携帯端末用梱包トレイ１０は、携帯端末１を流通するのに用いられる図示しない梱包箱内で、携帯端末１本体を収容し保持するための携帯端末用梱包材であって、一の携帯端末収容凹部１３を有し、この携帯端末収容凹部１３に、一の携帯端末１本体を収容する携帯端末用梱包トレイである。
【００２５】
携帯端末用梱包トレイ１０は、シート状の例えば熱可塑性樹脂を素材として、これを真空成形などの熱成形手段によって一体成形して形成される。素材としては、例えば、ポリプロピレン（ＰＰ）やポリエチレン（ＰＥ）などのポリオレフィン系樹脂、耐衝撃性ポリスチレン（ＨｉＰＳ）などのポリスチレン（ＰＳ）系樹脂、或いは、ポリエチレンテレフタラート（ＰＥＴ）、非晶性ポリエチレンテレフタレートシート（ＡＰＥＴ）などのポリエステル系樹脂からなる発泡材、又は非発泡材からなるシート状の樹脂をあげることができ、熱成形が可能な樹脂であれば、素材は特に限定されない。
【００２６】
ここで、携帯端末用梱包トレイ１０本来の携帯端末用梱包材としての機能を実現する構造について説明する。携帯端末用梱包トレイ１０は、図２ないし図５に示すように、矩形の正面部１１と、正面部１１の周縁から背面側へ延出して形成された矩形枠状の周側面部１２と、正面部１１の中央部を背面側へ凹めることで形成された矩形の携帯端末収容凹部１３と、携帯端末収容凹部１３の開口の周囲に残された矩形枠状の正面部１１において隣接する２辺のそれぞれの中央部を背面側へ凹めることで形成された２つの携帯端末取出し用の指掛け凹部１４，１５とを有している。
【００２７】
また、携帯端末収容凹部１３は、携帯端末１の形状・大きさに対応した形状・大きさ（容積）に形成されており、周側面部１２の奥行き幅は、携帯端末収容凹部１３の奥行き（深さ）よりも大きく形成される。また、指掛け凹部１４，１５の奥行き（深さ）は、携帯端末収容凹部１３の奥行きよりも小さく形成される。
【００２８】
このような形状の携帯端末用梱包トレイ１０は、図６ないし図９に示すように、携帯端末収容凹部１３に携帯端末１を収容し、同梱品を収容した他の梱包トレイ（他の梱包材）の上に積み重ねられた状態で、梱包箱に収容されることにより、梱包箱内で、携帯端末１本体を保持することができる。そして、携帯端末１は、このような梱包形態で、輸送、保管されて流通する。
【００２９】
携帯端末用梱包トレイ１０を携帯端末用梱包材として使用する際、携帯端末用梱包トレイ１０は、その正面１１を上にした状態、つまり、その正面１１を上面とした状態で使用される。また、携帯端末１は、その正面を上にした状態で、携帯端末用梱包トレイ１０の携帯端末収容凹部１３に収容される。そして、梱包箱は、流通時の輸送、保管の際、携帯端末１の正面が上になる状態で取り扱いされる。
【００３０】
また、本実施形態に係る携帯端末用梱包トレイ１０は、ユーザ側での開封後別用途で携帯端末１に使用することができる携帯端末用梱包トレイである。詳しくは、携帯端末１の内蔵スピーカ４から発せられる再生音を大きく聞こえるようにする音拡大機能を備えた携帯端末用保持具として使用することができる携帯端末用梱包トレイである。
【００３１】
次に、携帯端末用梱包トレイ１０で携帯端末１の内蔵スピーカ４から発せられる再生音を大きく聞こえるようにする音拡大機能を備えた携帯端末用保持具を実現する構造について以下説明する。
【００３２】
携帯端末用梱包トレイ１０は、図２ないし図９に示すように、一の携帯端末収容凹部１３を有し、携帯端末収容凹部１３に一の携帯端末１を収容する携帯端末用梱包トレイであるが、携帯端末収容凹部１３には、携帯端末１を収容した際に携帯端末１によって一部が閉塞される溝２０を形成している。そして、携帯端末用梱包トレイ１０は、図６ないし図９に示すように、携帯端末１によって溝２０の一部が閉塞されることで携帯端末１と協働して音響管３０を構成するようになっている。
【００３３】
本実施形態において、溝２０は、携帯端末１が携帯端末収容凹部１３に収容された場合に、携帯端末収容凹部１３の内奥面及び長手側の一方の周側面に接する携帯端末１の背面及び長手側の一方の周側面によって開口面の大部分（開口２２ａを除く部分）の領域で閉塞されつつ、両端部のそれぞれで携帯端末１の音孔３及び携帯端末１の正面側となる携帯端末用梱包トレイ１０の正面側の空間に連通されるようになっている。
【００３４】
こうして、携帯端末１を携帯端末収容凹部１３に収容した際に、携帯端末用梱包トレイ１０と携帯端末１との間において、音響管３０（携帯端末１のスピーカ４から音孔３を通して発せられる再生音の伝播方向を制限しながらこの音を入口から出口まで伝播させる経路）を、携帯端末収容凹部１３の溝２０の周壁に加え、携帯端末１の外面を用いて画定することができるようになっている。なお、図８及び図９における矢印は、音の伝播方向を示す。
【００３５】
詳しくは、溝２０は、音入力部２１と、音出力部２２と、連通部２３とを有している。溝２０は、音響管３０の構成時、携帯端末１の内蔵スピーカ４から音孔３を通して発せられる再生音を音入力部２１で受け入れ、連通部２３を通して音出力部２２に導き、音出力部２２から携帯端末１の正面側となる携帯端末用梱包トレイ２の正面側の空間に放射出力することができるように構成されている。
【００３６】
音入力部２１は、音響管３０の構成時に携帯端末１の音孔３に対向して配置され、携帯端末１の内蔵スピーカ４から発せられる再生音を入力するように構成されている。本実施形態において、音入力部２１は、正面に向かって開放する凹状となるように携帯端末収容凹部１３の内奥面（底面）に形成され、携帯端末１が携帯端末収容凹部１３に収容された場合に、携帯端末１の音孔３の位置と対応する位置、ここでは携帯端末収容凹部１３の内奥面の右上の角部に配置されている。
【００３７】
音入力部２１は、所定の上下及び左右方向の溝幅と所定の溝深を有する直方体状の空間からなり、携帯端末１の音孔３と連通し、かつこの連通部分を除く部分が携帯端末１の背面によって閉塞されるように構成されている。つまり、音入力部２１は、その開口面に音響管３０の入口を形成するようになっている。
【００３８】
音出力部２２は、音響管３０の構成時に携帯端末１の正面側となる携帯端末用梱包トレイ１０の正面側の空間に開口する開口２２ａを含み、音入力部２１から入力された音を開口２２ａから携帯端末用梱包トレイ１０の正面側の空間へ放射出力するように構成されている。本実施形態において、音出力部２２は、携帯端末用梱包トレイ１０の正面側に向かって開放する凹状となるように、携帯端末収容凹部１３の周側壁の一部分を外側へ凹めて形成されている。詳しくは、携帯端末１の長手側の一方（音孔３配置側とは反対側）の周側面に接する携帯端末収容凹部１３の長手側の一方の周側面（下側周側面）の中央部を外側へ凹めて形成されている。
【００３９】
音出力部２２は、連通部２３の下端部と同じ溝幅を有する直方体状の空間からなり、携帯端末用梱包トレイ１０の正面側の空間と開口２２ａを介して連通し、かつこの連通部分を除く部分（携帯端末収容凹部１３と連通する開口）が携帯端末１の周側面によって閉塞されるように構成されている。つまり、音出力部２２は、開口２２ａにて音響管３０の出口を構成するようになっている。
【００４０】
連通部２３は、音入力部２１側から音出力部２２側に向かうに従って溝断面積が拡大するホーン形状部２３ａ（図３参照）を含み、音入力部２１と音出力部２２とを連通させるように形成されている。本実施形態において、連通部２３は、正面に向かって開放するように携帯端末収容凹部１３の内奥面に形成されている。
【００４１】
連通部２３は、正面視で屈曲部を有する空間からなり、携帯端末１の背面によって閉塞されるように構成されている。つまり、連通部２３は、携帯端末１と協働して音響管３０の途中部を形成するようになっている。本実施形態において、連通部２３の内奥面は、音入力部２１及び音出力部２２のそれぞれの内奥面と同一平面内に配置されている。携帯端末用梱包トレイ１０の周側面部１２は、その先端が溝２０の裏面よりも背面側に位置するように形成されている。
【００４２】
また、連通部２３は、正面視において、携帯端末収容凹部１３の右上の角部に配置された音入力部２１から一旦左側へ直線状に延出された後、携帯端末収容凹部１３の上部中央から携帯端末収容凹部１３の下側中央に配置された音出力部２２に向かってホーン形状部２３ａにより溝断面積を拡大しつつ下方に延出され、全体的にＬ形に形成されている。溝２０は、側面視において、携帯端末収容凹部１３の内奥面と下側周側面の２面に沿い、全体的にＬ形に形成されている。
【００４３】
本実施形態において、ホーン形状部２３ａは、上下方向に延びるように設けられ、音出力部２２の上側に配置されている。ホーン形状部２３ａは、上端部で連通部２３の直線状の部分と連通され、下端部で音出力部２２と連通されている。ホーン形状部２３ａの溝幅は、携帯端末収容凹部１３の内奥面において音入力部２１側から音出力部２２側に向かうに従って漸次広がるように設けられている。つまり、ホーン形状部２３ａは、音の向かう先に行くに従って、溝断面積が連続的に大きくなる先広がりの形状とされている。
【００４４】
このような形状の溝２０は、携帯端末収容凹部１３に携帯端末１を収容した際、携帯端末用梱包トレイ１０と携帯端末１との間に携帯端末１の一部を用いてホーン形状を有する音響管３０を構成することができる。
【００４５】
そして、携帯端末１を保持し、その際に構成される音響管３０は、ホーンとして機能し、保持した携帯端末１の内蔵スピーカ４から発せられる再生音を効率よく、携帯端末１の正面側となる携帯端末用梱包トレイ１０の正面側の空間に放射することができることから、携帯端末１単体で音を再生した場合よりも、音が大きく聞こえるようになる。したがって、従来では単に製品の流通時における輸送、保管用途で使用されるのみで、ユーザ側での開封後は不要となり、廃棄されるか、そのまま保管される物であった携帯端末用梱包トレイ１０が、携帯端末収容凹部１３に特定の溝２０を形成するだけで、ユーザ側での開封後、携帯端末１の内蔵スピーカ４から発せられる再生音を大きく聞こえるようにする音拡大機能を備えた携帯端末保持具として使用することができる。言い換えると、携帯端末１の内蔵スピーカ４から発せられる再生音を大きく聞こえるようにする音拡大機能を備えた携帯端末保持具を、携帯端末用梱包トレイ１０を利用して容易に実現することができる。
【００４６】
本実施形態において、連通部２３が、携帯端末収容凹部１３の内奥面に形成されている。形状・大きさが携帯端末１の形状・大きさに対応したものに限定される携帯端末収容凹部１３において、最大の面積を有する内奥面を利用し、設計の自由度を確保しつつホーン形状部２３を形成することができる。したがって、性能的に優れたホーン形状を有する音響管３０を容易に得られ、音拡大機能が向上する。
【００４７】
図１０は、本発明の別の実施形態に係る携帯端末用梱包トレイを示す正面図である。本実施形態における携帯端末用梱包トレイ４０は、図２に示した携帯端末用梱包トレイ１０にパッキン４１を付加したものであって、その他の構造は同一であるため、同じ符号を付して、その詳細な説明を省略する。
【００４８】
本実施形態において、携帯端末用梱包トレイ４０は、図１０に示すように、携帯端末収容凹部１３に携帯端末１を収容した際に携帯端末用梱包トレイ４０と携帯端末１との間を密閉するためのパッキン４１を、携帯端末収容凹部１３における少なくとも音入力部２１の開口の周囲に備えている。また、パッキン４１は、携帯端末収容凹部１３における音入力部２１及び連通部２３の開口の縁部に沿って配設されている。パッキン４１は、ゴムやシリコンなどの弾性材料から構成されている。
【００４９】
このような携帯端末用梱包トレイ４０では、携帯端末１が携帯端末用梱包トレイ４０に保持される際に、パッキン４１を用いて少なくとも音入力部２１の開口の周囲で携帯端末１と携帯端末用梱包トレイ４０との間を密閉することができる。したがって、特に、音響管３０の入口での音漏れを有効に抑制することができる。
【００５０】
図１１は、本発明のさらに別の実施形態に係る携帯端末用梱包トレイを示す斜視図である。本実施形態における携帯端末用梱包トレイ５０は、図２に示した携帯端末用梱包トレイ１０に補強部材５１を付加したものであって、その他の構造は同一であるため、同じ符号を付して、その詳細な説明を省略する。
【００５１】
本実施形態において、携帯端末用梱包トレイ５０は、図１１に示すように、溝２０の表面に補強部材５１が貼着されている。補強部材５１には、プラスチックシートや板紙などの板材を用いることができる。補強部材５１の貼着には、接着剤や両面粘着テープを用いることができる。また、片面粘着テープそのものも補強部材５１として用いることができる。補強部材５１は、溝２０の裏面に貼着しても表面に貼着した場合と同じ補強効果を得られる。
【００５２】
このような携帯端末用梱包トレイ５０では、携帯端末１の一部とでホーン形状を有する音響管３０を構成する携帯端末用梱包トレイ５０の溝２０に補強部材５１を用いて十分な剛性を付与することができる。したがって、携帯端末梱包トレイ５０を全体的に強度の高いものにすることなく、音響管３０の音響的に不要な鳴き（振動）を効果的に抑制することができる。
【００５３】
図１２は、本発明のまたさらに別の実施形態に係る携帯端末用梱包トレイを示す斜視図、図１３は、図１２に示す携帯端末用梱包トレイの背面斜視図、図１４は、図１２に示す携帯端末用梱包トレイの側面図である。本実施形態における携帯端末用梱包トレイ６０は、図２に示した携帯端末用梱包トレイ１０に脚部材６１を付加したものであって、その他の構造は同一であるため、同じ符号を付して、その詳細な説明を省略する。
【００５４】
本実施形態において、携帯端末用梱包トレイ６０は、図１２ないし図１４に示すように、携帯端末用梱包トレイ６０を卓上など水平な載置面Ｇに自立させるための脚部材６１を備え、脚部材６１は、携帯端末梱包トレイ６０と同梱される他の梱包材の一部で形成され、携帯端末梱包トレイ６０に取り付けられる。また、本実施形態において、携帯端末用梱包トレイ６０の脚部材６１は、携帯端末用梱包トレイ６０の左右両側において周側面１２に貼着６２する一対の板材から構成されており、携帯端末用梱包トレイ６０を背面側から支え、載置面Ｇ上に、正面部１１が前方斜め上方に向く傾斜した状態（例えば、図１４に示すように、側面視で、携帯端末用梱包トレイ６０の背面と載置面Ｇとで作られる角度θが７０°。）で自立させるようになっている。このような脚部材６１には、ダンボールやプラスチックの板材（携帯端末用梱包トレイ６０に収容された携帯端末１の表面保護用シート材）など、梱包材の中の比較的固めのものであれば十分に利用することができる。脚部材６１の貼着６２には、接着剤や両面粘着テープを用いることができる。
【００５５】
このような携帯端末用梱包トレイ（スタンド型）６０では、携帯端末用梱包トレイ６０を卓上などの水平な載置面Ｇに脚部材６１を介して自立させることができることから、携帯端末１を立てた状態で保持するスタンド機能が得られ、携帯端末１の表示部２が見やすく、音が大きく聞こえるようになる。また、コストを殆どかけることなく携帯端末用梱包トレイ６０にスタンド機能を付加することができると共に、携帯端末用梱包トレイ６０に脚部材６１を、あらかじめ、一体に形成した場合になどに生じるおそれがある携帯端末１の梱包作業能率の低下、携帯端末用梱包トレイ本来の梱包材としての機能低下などを防止することができる。
【００５６】
以上、本発明に係る携帯端末用梱包トレイの実施形態をいくつか（携帯端末用梱包トレイ１０，４０，５０，６０）説明したが、本発明はそれに限定されるものではなく、特許請求の範囲に記載された発明の範囲内で適宜変更することができるものである。例えば、本実施形態においてはスマートフォンである携帯端末１に対応した携帯端末用梱包トレイ１０，４０，５０，６０とされているが、これに限定されるものではなく、例えばタブレット端末、ポータブルオーディプレーヤなどの携帯端末に対応した携帯端末用梱包トレイとすることもできる。また、内蔵スピーカ４から発せられる再生音を外部に放射するための音孔３を背面に設けた携帯端末１に対応した携帯端末用梱包トレイ１０，４０，５０，６０とされているが、これに限定されるものではなく、音孔３を周側面（例えば下側面）に設けた携帯端末に対応した携帯端末用梱包トレイとすることもできる。この場合、溝２０の音入力部２１は携帯端末収容凹部１３の周側壁に形成されることになる。
【符号の説明】
【００５７】
１  携帯端末
３  音孔
４  内蔵スピーカ
１０，４０，５０，６０  携帯端末用梱包トレイ
１３  携帯端末収容凹部
２０  溝
２１  音入力部
３０  音響管
２２  音出力部
２２ａ  開口
２３  連通部
２３ａ  ホーン形状部
４１  パッキン
５１  補強部材
６１  脚部材
【図１】
2015012371.tif 000003
【図２】
2015012371.tif 000004
【図３】
2015012371.tif 000005
【図４】
2015012371.tif 000006
【図５】
2015012371.tif 000007
【図６】
2015012371.tif 000008
【図７】
2015012371.tif 000009
【図８】
2015012371.tif 000010
【図９】
2015012371.tif 000011
【図１０】
2015012371.tif 000012
【図１１】
2015012371.tif 000013
【図１２】
2015012371.tif 000014
【図１３】
2015012371.tif 000015
【図１４】
2015012371.tif 000016